【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
安全な通信を提供する方法であって、
事前許可された加入者を含む組織によって管理されるプライベートネットワーク上のリストサーバにおいて、無線端末の前記事前許可された加入者から、ＳＭＳメッセージ中で情報を受信するステップと、
ＳＭＳサーバにおいて、前記リストサーバによって保持されるリストへ宛てられた前記ＳＭＳメッセージ中に含まれる情報を受信するステップと、
前記リストへ宛てられたＥメールメッセージ中で、前記情報を前記リストサーバへ転送するステップと、
前記事前許可された加入者が前記リストに含まれるか否かを判定するステップと、
前記ＳＭＳメッセージ中の前記情報に基づいて、前記事前許可された加入者が前記組織に含まれるか否かを判定するステップと、
前記事前許可された加入者が前記リストのメンバーであり前記組織に含まれる場合に、前記リストサーバにおいて、応答を提供するために、前記Ｅメール中に含まれる前記情報に基づいて前記リストにアクセスするステップと、
前記Ｅメールに応えて、前記リストサーバから前記応答を送信するステップと、
を備えることを特徴とする方法。
【請求項２】
前記事前許可された加入者は、前記リストサーバを介するのではなく、前記リストサーバによってアクセスされる情報への二次的なアクセスを行えることを特徴とする請求項１に記載の方法。
【請求項３】
前記事前許可された加入者は、加入に先立って前記組織に関連付けられたデータベースに加わることによって、前記リストサーバによって保持されるリストへ加入することを許可されることを特徴とする請求項１に記載の方法。
【請求項４】
前記事前許可された加入者は、前記組織の、従業員、契約者、下請け契約者、又はコンサルタントを含むことを特徴とする請求項３に記載の方法。
【請求項５】
前記情報は、無線端末に関連付けられた加入者ＩＤモジュール受信情報を含むことを特徴とする請求項１に記載の方法。
【請求項６】
前記アクセスするステップは、前記事前許可された加入者が前記リストのメンバーでないか又は前記組織に含まれない場合に、前記リストサーバにおいて、前記リストへのアクセスをブロックするステップを更に備えることを特徴とする請求項１に記載の方法。
【請求項７】
前記事前許可された加入者が前記組織に含まれるか否かを判定する前記ステップは、前記ＳＭＳメッセージ中に含まれる前記事前許可された加入者を特定する前記情報を前記リストに含まれる連絡先と比較するステップを備えることを特徴とする請求項１に記載の方法。
【請求項８】
前記応答を個別のＳＭＳメッセージとして前記リストの他のメンバーへ送信するステップを更に備えることを特徴とする請求項１に記載の方法。
【請求項９】
前記ＳＭＳメッセージは、前記リストの別のメンバーの連絡先についての前記リストに対するリスト問い合わせを含み、
前記応答を送信するステップは、応答ＳＭＳメッセージ中で、前記事前許可された加入者へ前記連絡先を送信するステップを備える
ことを特徴とする請求項１に記載の方法。
【請求項１０】
前記ＳＭＳメッセージはリスト加入要求を含み、
当該方法は、
前記リスト加入要求に含まれる前記事前許可された加入者を特定する前記情報を連絡先と比較するステップと、
前記情報が前記リストに含まれる連絡先に合致した場合に、前記事前許可された加入者を前記リストに加入させるステップと、
前記情報が前記リストに含まれる連絡先に合致しない場合に、前記事前許可された加入者の前記リストへの加入をブロックするステップと、
を更に備えることを特徴とする請求項１に記載の方法。
【請求項１１】
安全な通信を提供するシステムであって、
組織によって管理され、前記組織にメンバーである無線端末の事前許可された加入者からＳＭＳメッセージを受信するように構成された、プライベートネットワーク上のリストサーバと、
前記リストサーバに結合され、事前許可された加入者に関連付けられた情報を前記リストサーバによって処理されるリストに格納するように構成され、前記事前許可された加入者が前記組織に含まれるか否かを前記ＳＭＳメッセージ中の前記情報に基づいて判定するために前記リストサーバに応えて前記情報にアクセスするように構成されたデータベースと、
前記リストサーバに結合されたファイアウォールであって、当該ファイアウォールに結合されたパブリックネットワークからの前記プライベートネットワークへの許可されていないアクセスをブロックするように構成されたファイアウォールと、
を備えることを特徴とするシステム。
【請求項１２】
前記ＳＭＳメッセージを受信して前記リストサーバへ転送するように構成され、前記リストサーバからの応答を受信して前記リストの前記事前許可された加入者へ転送するように構成された、前記プライベートネットワーク上のＳＭＳサーバを更に備えることを特徴とする請求項１１に記載のシステム。
【請求項１３】
前記ＳＭＳメッセージを受信して前記リストサーバへ転送するように構成され、前記リストサーバからの応答を受信して前記リストの前記事前許可された加入者へ転送するように構成された、前記パブリックネットワーク上のＳＭＳサーバを更に備えることを特徴とする請求項１１に記載のシステム。
【請求項１４】
前記プライベートネットワークは、前記事前許可された加入者が、前記リストサーバを介するのではなく、前記リストサーバによってアクセスされる情報への二次的なアクセスを行えるようにすることを特徴とする請求項１１に記載のシステム。
【請求項１５】
前記事前許可された加入者は、加入に先立って前記組織に加わることによって、前記リストサーバによって保持されるリストへ加入することを許可されることを特徴とする請求項１１に記載のシステム。
【請求項１６】
コンピュータ読み取り可能なプログラムコードを収録した、安全な通信を提供するためのコンピュータ読み取り可能な媒体であって、
事前許可された加入者を含む組織によって管理されるプライベートネットワーク上のリストサーバにおいて、無線端末の前記事前許可された加入者から、ＳＭＳメッセージ中で情報を受信するように構成されたコンピュータ読み取り可能なプログラムコードと、
ＳＭＳサーバにおいて、前記リストサーバによって保持されるリストへ宛てられた前記ＳＭＳメッセージ中に含まれる情報を受信するように構成されたコンピュータ読み取り可能なプログラムコードと、
前記リストへ宛てられたＥメールメッセージ中で、前記情報を前記リストサーバへ転送するように構成されたコンピュータ読み取り可能なプログラムコードと、
前記事前許可された加入者が前記リストに含まれるか否かを判定するように構成されたコンピュータ読み取り可能なプログラムコードと、
前記ＳＭＳメッセージ中の前記情報に基づいて、前記事前許可された加入者が前記組織に含まれるか否かを判定するように構成されたコンピュータ読み取り可能なプログラムコードと、
前記事前許可された加入者が前記リストのメンバーであり前記組織に含まれる場合に、前記リストサーバにおいて、応答を提供するために、前記Ｅメール中に含まれる前記情報に基づいて前記リストにアクセスするように構成されたコンピュータ読み取り可能なプログラムコードと、
前記Ｅメールに応えて、前記リストサーバから前記応答を送信するように構成されたコンピュータ読み取り可能なプログラムコードと、
を備えることを特徴とするコンピュータ読み取り可能な媒体。
【請求項１７】
前記事前許可された加入者は、前記リストサーバを介するのではなく、前記リストサーバによってアクセスされる情報への二次的なアクセスを行えることを特徴とする請求項１６に記載のコンピュータ読み取り可能な媒体。
【請求項１８】
前記事前許可された加入者は、加入に先立って前記組織に加わることによって、前記リストサーバによって保持されるリストへ加入することを許可されることを特徴とする請求項１６に記載のコンピュータ読み取り可能な媒体。
【請求項１９】
前記事前許可された加入者は、前記組織の、従業員、契約者、下請け契約者、又はコンサルタントを含むことを特徴とする請求項１８に記載のコンピュータ読み取り可能な媒体。
【請求項２０】
安全な通信を提供する方法であって、
加入者ＩＤモジュールが事前許可された加入者を組織のメンバーとして特定した場合に、前記事前許可された加入者を含む前記組織によって管理されるプライベートネットワーク上のリストサーバを介して、無線端末の前記事前許可された加入者からのＳＭＳメッセージに応えてリスト情報にアクセスするステップ
を備えることを特徴とする方法。
【請求項２１】
安全な通信を提供する方法であって、
事前許可された加入者がリストサーバによって保持されるリストに含まれるか否かを判定すること無しに、前記事前許可された加入者からのメッセージが前記リストサーバにアクセスすることを許可するステップ
を備えることを特徴とする方法。
【手続補正２】
【補正対象書類名】明細書
【補正対象項目名】発明の名称
【補正方法】変更
【補正の内容】
【発明の名称】ＳＭＳメッセージングを介してリストサーバ情報へ安全にアクセスするための方法、システム、及びコンピュータ読み取り可能な媒体